(57)【要約】【課題】  良好に画像処理を行うことができ、かつ、製造コストが低減された画像処理装置を提供することを目的とする。【解決手段】  モノクロラインデータをフロントラインデータ及びリアラインデータに分割して読み取り、フロントラインデータに対して画像処理部５で画像処理を行うとともに、リアラインデータに対して画像処理部６で画像処理を行った後、それらのデータを合成する。画像処理部５は、フロントラインデータにリアラインデータの一部の画素を付加して画像処理を行う。画像処理部６は、リアラインデータにフロントラインデータの一部の画素を付加して画像処理を行う。これにより、使用するラインバッファの数を減らして、製造コストを低減することができるとともに、フロントラインデータ及びリアラインデータの境界部分においても良好に画像処理を行うことができる。【選択図】  図３
2008103912.tif 000002
【特許請求の範囲】
【請求項１】
原稿画像を１ラインごとに読み取り、各ラインについて、主走査方向の一端部から中央部までの画素からなる第１ラインデータ及び中央部から他端部までの画素からなる第２ラインデータに分割して読み取る原稿読取手段と、
上記原稿読取手段により読み取られるラインデータに対して画像処理を行う第１画像処理手段及び第２画像処理手段と、
上記画像処理後のラインデータを格納するデータ記憶手段とを備え、
上記第１画像処理手段は、上記第１ラインデータの各画素を注目画素として、上記第１ラインデータの各画素及び上記第２ラインデータの一部の画素に基づいて画像処理を行い、
上記第２画像処理手段は、上記第２ラインデータの各画素を注目画素として、上記第２ラインデータの各画素及び上記第１ラインデータの一部の画素に基づいて画像処理を行うことを特徴とする画像処理装置。
【請求項２】
上記原稿読取手段は、上記第１ラインデータ及び上記第２ラインデータをモノクロラインデータとして読み取るモノクロラインセンサを含むことを特徴とする請求項１に記載の画像処理装置。
【請求項３】
上記原稿読取手段により読み取られるラインデータに対して画像処理を行う第３画像処理手段を備え、
上記原稿読取手段は、原稿画像を１ラインごとに３原色のカラーラインデータとして読み取るための各色に対応する３つのカラーラインセンサを含み、
上記第１画像処理手段、上記第２画像処理手段及び上記第３画像処理手段は、上記３つのカラーラインセンサにより読み取られる各カラーラインデータに対して画像処理を行うことを特徴とする請求項２に記載の画像処理装置。
【請求項４】
上記モノクロラインセンサ及び上記３つのカラーラインセンサは、それぞれ一直線状に並べられた複数の受光素子であって、各ラインセンサ内における配列順序が奇数番目の第１受光素子群及び偶数番目の第２受光素子群からなり、
上記原稿読取手段は、上記第１受光素子群及び上記第２受光素子群からのデータを合成してラインデータを生成するデータ合成手段を含むことを特徴とする請求項３に記載の画像処理装置。
【請求項５】
上記原稿読取手段は、主走査方向の一端部から中央部に向かって順次に信号を出力することにより上記第１ラインデータを生成するとともに、主走査方向の他端部から中央部に向かって順次に信号を出力することにより上記第２ラインデータを生成し、
上記第１画像処理手段は、信号出力順序と同じ順序で読み出した上記第１ラインデータに、信号出力順序とは逆順序で読み出した上記第２ラインデータの一部が付加されたデータに対して画像処理を行い、
上記第２画像処理手段は、信号出力順序と同じ順序で読み出した上記第２ラインデータに、信号出力順序とは逆順序で読み出した上記第１ラインデータの一部が付加されたデータに対して画像処理を行うことを特徴とする請求項１に記載の画像処理装置。
【発明の詳細な説明】
【技術分野】
【０００１】
本発明は、画像処理装置に係り、さらに詳しくは、原稿画像を１ラインごとに読み取るラインセンサを備えた画像処理装置に関する。
【背景技術】
【０００２】
原稿に向けて照射した光の反射光をラインセンサで受光し、その受光量に基づいて生成されるラインデータに対して画像処理を行う画像処理装置が知られている（例えば、特許文献１〜３）。この種の画像処理装置としては、１つのモノクロラインセンサを用いてモノクロラインデータを生成するモノクロ画像処理装置や、Ｒ(レッド)、Ｇ(グリーン)、Ｂ(ブルー)の各色に対応付けられた３つのカラーラインセンサを用いてカラーラインデータを生成するカラー画像処理装置の他、これら４つのラインセンサを備え、モノクロラインデータ及びカラーラインデータの双方を生成することができる画像処理装置などが知られている。
【０００３】
ラインセンサには、一直線状に並べられた複数の受光素子が備えられている。画像処理装置の中には、モノクロラインセンサの一端部の受光素子から中央部の受光素子に向かって順次に信号が出力されることにより得られる１／２ライン分のラインデータ（以下、「フロントラインデータ」と呼ぶ。）と、他端部の受光素子から中央部の受光素子に向かって順次に信号が出力されることにより得られる１／２ライン分のラインデータ（以下、「リアラインデータ」と呼ぶ。）とを合成することにより、１ライン分のモノクロラインデータを生成して、そのモノクロラインデータに対して画像処理を行うように構成されているものもある。このような構成によれば、フロントラインデータ及びリアラインデータに並行して画像処理を行い、それらを合成することにより１ライン分のラインデータを生成することができるので、処理速度を速くすることができる。
【０００４】
図７は、従来の画像処理装置２００の一構成例を示したブロック図である。この画像処理装置２００は、１つのモノクロラインセンサ２２２を用いてモノクロラインデータを生成するモノクロ画像処理装置であり、原稿読取部２０２、フロントライン合成部２０３、リアライン合成部２０４、モノクロライン合成部２０５及び画像処理部２０６を備えている。
【０００５】
原稿読取部２０２には、原稿に向けて光を照射する光源２２１と、原稿からの反射光を受光するモノクロラインセンサ２２２とが備えられている。モノクロラインセンサ２２２は、一直線状に並べられた複数の受光素子からなり、各受光素子における受光量を表す信号が原稿読取部２０２から出力される。この例では、モノクロラインセンサ２２２により原稿画像が１ラインごとに読み取られる際、１ライン分のラインデータが、フロントラインデータとリアラインデータとに分割して読み取られる。フロントラインデータは、原稿読取部２０２からの入力信号に基づいてフロントライン合成部２０３で生成され、リアラインデータは、原稿読取部２０２からの入力信号に基づいてリアライン合成部２０４で生成される。
【０００６】
ここで、モノクロラインセンサ２２２は、当該モノクロラインセンサ２２２内における配列順序が奇数番目の受光素子からなる第１受光素子群と、偶数番目の受光素子からなる第２受光素子群とにより構成されている。すなわち、第１受光素子群の受光素子と、第２受光素子群の受光素子とが、モノクロラインセンサ２２２内において交互に並ぶように一直線状に配列されている。第１受光素子群の受光素子からの信号（ｏｄｄ）と、第２受光素子群の受光素子からの信号（ｅｖｅｎ）は、別々にフロントライン合成部２０３及びリアライン合成部２０４に入力される。
【０００７】
フロントライン合成部２０３には、モノクロラインセンサ２２２の一端部から中央部に配置されている受光素子（以下、「フロント側受光素子」と呼ぶ。）からの信号が入力される。フロントライン合成部２０３には、入力切替部２３１が備えられており、第１受光素子群のフロント側受光素子からの信号（ｆｒｏｎｔ−ｏｄｄ）と、第２受光素子群のフロント側受光素子からの信号（ｆｒｏｎｔ−ｅｖｅｎ）とが、入力切替部２３１で交互に切り替えられて入力されることにより、受光素子の配列順序に対応するライン状に整列されたフロントラインデータが生成される。
【０００８】
リアライン合成部２０４には、モノクロラインセンサ２２２の他端部から中央部に配置されている受光素子（以下、「リア側受光素子」と呼ぶ。）からの信号が入力される。リアライン合成部２０４には、入力切替部２４１が備えられており、第１受光素子群のリア側受光素子からの信号（ｒｅａｒ−ｏｄｄ）と、第２受光素子群のリア側受光素子からの信号（ｒｅａｒ−ｅｖｅｎ）とが、入力切替部２４１で交互に切り替えられて入力されることにより、受光素子の配列順序に対応するライン状に整列されたリアラインデータが生成される。
【０００９】
フロントライン合成部２０３で生成されたフロントラインデータ及びリアライン合成部２０４で生成されたリアラインデータは、モノクロライン合成部２０５に入力される。このモノクロライン合成部２０５には、第１ラインバッファ２５１、第２ラインバッファ２５２、第３ラインバッファ２５３、第４ラインバッファ２５４及びセレクタ２５５が備えられている。各ラインバッファ２５１〜２５４は、１／２ライン分のデータを格納することができ、４つのラインバッファ２５１〜２５４で計２ライン分のデータを格納することができる。
【００１０】
フロントライン合成部２０３から入力される１／２ライン分のフロントラインデータは、第１ラインバッファ２５１又は第２ラインバッファ２５２のいずれか一方に格納される。リアライン合成部２０４から入力される１／２ライン分のリアラインデータは、第３ラインバッファ２５３又は第４ラインバッファ２５４のいずれか一方に格納される。セレクタ２５５は、フロントラインデータが格納されている第１ラインバッファ２５１又は第２ラインバッファ２５２と、リアラインデータが格納されている第３ラインバッファ２５３又は第４ラインバッファ２５４を順次に選択し、フロントラインデータ及びリアラインデータが順次に読み出されることにより、それらのデータが合成された１ライン分のモノクロラインデータが生成される。
【００１１】
ここで、フロントラインデータは、第１ラインバッファ２５１又は第２ラインバッファ２５２に入力されたときと同じ順序で読み出されるのに対して、リアラインデータは、第３ラインバッファ２５３又は第４ラインバッファ２５４に入力されたときと逆順序で読み出され、セレクタ２５５に入力されるようになっている。これにより、フロントラインデータとリアラインデータとが、モノクロラインセンサ２２２に備えられている複数の受光素子の配列順序に対応する順序で合成される。
【００１２】
このように１／２ライン分のリアラインデータを入力されたときと逆順序で読み出すためには、１／２ライン分のラインバッファが必要である。このとき、ラインバッファに格納したリアラインデータを全て逆順序で読み出した後、次のラインデータを同ラインバッファに格納することもできるが、この場合には処理時間が長くなってしまう。そこで、フロントラインデータ及びリアラインデータに対してそれぞれ２つのラインバッファを用意し、一方のラインバッファに格納されているフロントラインデータ及びリアラインデータの合成が終了するまでは、次のラインデータを他方のラインバッファに格納することができるようになっている。
【００１３】
画像処理部２０６は、モノクロライン合成部２０５から入力される複数ライン分のモノクロラインデータの各画素を注目画素として、その周辺画素のデータを用いてフィルタ処理や像域分離処理などの画像処理を行う。そして、画像処理部２０６により画像処理が施された複数ライン分のモノクロラインデータからなる原稿のモノクロ画像データに基づいて、印字装置（不図示）により用紙上に画像が記録される。
【００１４】
図８は、図７の画像処理装置２００のフロントライン合成部２０３及びリアライン合成部２０４におけるラインデータの生成及びモノクロライン合成部２０５からのラインデータの出力の態様を示したタイミングチャートである。この図８において、「Ｆｎ（ｎは自然数）」は、ｎライン目のフロントラインデータ、「Ｒｎ（ｎは自然数）」は、ｎライン目のリアラインデータを示している。また、「ｒｎ（ｎは自然数）」は、ｎライン目のリアラインデータをラインバッファ２５３，２５４から入力時と逆順序で読み出したときのデータを示している。
【００１５】
図８に示すように、モノクロラインセンサ２２２の一端部の受光素子から他端部の受光素子に向かって順次に信号が出力されることにより、１ライン目のフロントラインデータＦ１及びリアラインデータＲ１が生成されると、フロントラインデータＦ１が第１ラインバッファ２５１又は第２ラインバッファ２５２に格納されるとともに、リアラインデータＲ１が第３ラインバッファ２５３又は第４ラインバッファ２５４に格納される。
【００１６】
１ライン目の読取周期Ｔ１が終了すると、フロントラインデータＦ１が第１ラインバッファ２５１又は第２ラインバッファ２５２から読み出されるとともに、リアラインデータＲ１が第３ラインバッファ２５３又は第４ラインバッファ２５４から入力時と逆順序で読み出されることにより、フロントラインデータＦ１とリアラインデータｒ１とが合成され、１ライン分のモノクロラインデータが生成される。このとき、２ライン目の読み取りが並行して行われ、２ライン目のフロントラインデータＦ２が、第１ラインバッファ２５１又は第２ラインバッファ２５２のうち、１ライン目のフロントラインデータＦ１が格納されていない方のラインバッファに格納される。また、２ライン目のリアラインデータＲ２が、第３ラインバッファ２５３又は第４ラインバッファ２５４のうち、１ライン目のリアラインデータＲ１が格納されていない方のラインバッファに格納される。
【００１７】
このようにして、２ライン目の読取周期Ｔ２の間に、１ライン目のフロントラインデータＦ１及びリアラインデータｒ１が合成されることにより１ライン分のモノクロラインデータが生成されるとともに、２ライン目のフロントラインデータＦ２及びリアラインデータＲ２が読み取られる。３ライン目以降のラインデータの生成及び出力の態様は、１ライン目及び２ライン目の態様と同様であるので、ここではその説明を省略する。
【００１８】
【特許文献１】特開平１１−４１４７９号公報
【特許文献２】特開２００１−３３３２８２号公報
【特許文献３】特開２００５−２２３３７４号公報
【発明の開示】
【発明が解決しようとする課題】
【００１９】
しかしながら、上記のような従来の画像処理装置では、ｎライン目のフロントラインデータ及びリアラインデータをラインバッファに格納しているときに、（ｎ−１）ライン目のフロントラインデータ及びリアラインデータを格納しておくためのラインバッファが別途必要である。そのため、上述の通り、１ライン分のラインデータを読み取るために、２ライン分のラインバッファが必要であり、製造コストが高くなるといった問題がある。
【００２０】
また、１ライン分のモノクロラインデータをフロントラインデータ及びリアラインデータに分割して読み取った場合、各ラインの読取周期Ｔｎは１／２ライン分の周期となる。しかし、その１／２ライン分の読取周期Ｔｎの間に、フロントラインデータ及びリアラインデータを合成し、１ライン分のモノクロラインデータに対して画像処理を行おうとすると、図８に示すように、フロントラインデータ及びリアラインデータの読取速度（例えば、６０画素／μｓ）に対して、２倍の速度（例えば、１２０画素／μｓ）で画像を処理しなければならない。そのため、処理速度の速い高価な画像処理部を用意する必要があり、製造コストが高くなってしまう。
【００２１】
本発明は、上記の事情に鑑みてなされたものであり、良好に画像処理を行うことができ、かつ、製造コストが低減された画像処理装置を提供することを目的とする。
【課題を解決するための手段】
【００２２】
第１の本発明による画像処理装置は、原稿画像を１ラインごとに読み取り、各ラインについて、主走査方向の一端部から中央部までの画素からなる第１ラインデータ及び中央部から他端部までの画素からなる第２ラインデータに分割して読み取る原稿読取手段と、上記原稿読取手段により読み取られるラインデータに対して画像処理を行う第１画像処理手段及び第２画像処理手段と、上記画像処理後のラインデータを格納するデータ記憶手段とを備え、上記第１画像処理手段が、上記第１ラインデータの各画素を注目画素として、上記第１ラインデータの各画素及び上記第２ラインデータの一部の画素に基づいて画像処理を行い、上記第２画像処理手段が、上記第２ラインデータの各画素を注目画素として、上記第２ラインデータの各画素及び上記第１ラインデータの一部の画素に基づいて画像処理を行うように構成される。
【００２３】
このような構成によれば、第１ラインデータ及び第２ラインデータを合成した後に画像処理を行うのではなく、第１ラインデータ及び第２ラインデータに対してそれぞれ画像処理を行った後、それらのラインデータをデータ記憶手段に格納し、それを読み出して合成画像を得ることができる。したがって、図７のように、読み取った第１ラインデータ及び第２ラインデータを格納するラインバッファと、その前のラインの第１ラインデータ及び第２ラインデータを画像処理のために格納しておくラインバッファとを設ける必要がないので、製造コストを低減することができる。
【００２４】
また、第１ラインデータ及び第２ラインデータに対して、それぞれ異なる画像処理手段を用いて画像処理を行うので、それらを合成した１ライン分のラインデータに対して同時間で画像処理を行うような画像処理手段を採用する場合と比べて、処理速度がほぼ半分の安価な画像処理手段を採用することができる。したがって、製造コストをより効果的に低減することができる。
【００２５】
また、第１ラインデータの各画素を注目画素として画像処理を行うときには、第１ラインデータに第２ラインデータの一部の画素を付加して画像処理を行うことができ、第２ラインデータの各画素を注目画素として画像処理を行うときには、第２ラインデータに第１ラインデータの一部の画素を付加して画像処理を行うことができる。したがって、第１ラインデータ及び第２ラインデータを合成した後に画像処理を行う場合と同様に、第１ラインデータ及び第２ラインデータの境界部分においても良好に画像処理を行うことができる。
【００２６】
第２の本発明による画像処理装置は、上記構成に加えて、上記原稿読取手段が、上記第１ラインデータ及び上記第２ラインデータをモノクロラインデータとして読み取るモノクロラインセンサを含むように構成される。
【００２７】
このような構成によれば、モノクロラインセンサで読み取られるモノクロラインデータを第１ラインデータ及び第２ラインデータに分割して読み取り、それらの第１ラインデータ及び第２ラインデータに対して異なる画像処理手段を用いて画像処理を行うことができる。一般的に、モノクロラインデータの読み取りは、カラーラインデータの読み取りに比べて速度が要求されるが、モノクロラインデータを第１ラインデータ及び第２ラインデータに分割して異なる画像処理手段で画像処理を行うことにより、処理速度の遅い安価な画像処理手段を用いて高速で画像処理を行うことができる。
【００２８】
第３の本発明による画像処理装置は、上記構成に加えて、上記原稿読取手段により読み取られるラインデータに対して画像処理を行う第３画像処理手段を備え、上記原稿読取手段が、原稿画像を１ラインごとに３原色のカラーラインデータとして読み取るための各色に対応する３つのカラーラインセンサを含み、上記第１画像処理手段、上記第２画像処理手段及び上記第３画像処理手段が、上記３つのカラーラインセンサにより読み取られる各カラーラインデータに対して画像処理を行うように構成される。
【００２９】
このような構成によれば、３つのカラーラインセンサを用いてカラーラインデータを読み取る際に、モノクロラインデータの読取時に使用される第１画像処理手段及び第２画像処理手段を用いるとともに、さらに第３画像処理手段を用いて、それらのカラーラインデータに対する画像処理を行うことができる。このように、モノクロラインデータの読取時とカラーラインデータの読取時とで画像処理手段を兼用することにより、さらに製造コストを低減することができる。
【００３０】
ここで、モノクロラインデータは、それぞれ１／２ライン分の第１ラインデータ及び第２ラインデータに分割されて画像処理が行われるので、１ライン分のまま画像処理が行われるカラーラインデータと比べて、画像処理手段を兼用して同じ処理速度で画像処理を行った場合に、半分の時間で画像処理を行うことができる。したがって、カラーラインデータに比べて速度が要求されるモノクロラインデータの読み取りにおいて、高速で画像処理を行うことができる。
【００３１】
第４の本発明による画像処理装置は、上記構成に加えて、上記モノクロラインセンサ及び上記３つのカラーラインセンサが、それぞれ一直線状に並べられた複数の受光素子であって、各ラインセンサ内における配列順序が奇数番目の第１受光素子群及び偶数番目の第２受光素子群からなり、上記原稿読取手段が、上記第１受光素子群及び上記第２受光素子群からのデータを合成してラインデータを生成するデータ合成手段を含むように構成される。
【００３２】
このような構成によれば、モノクロラインデータ及びカラーラインデータをそれぞれ第１受光素子群及び第２受光素子群からのデータに分割して入力させ、それらのデータを合成してラインデータを生成することができる。これにより、さらに高速で原稿を読み取り、画像処理を行うことができる。
【００３３】
第５の本発明による画像処理装置は、上記原稿読取手段が、主走査方向の一端部から中央部に向かって順次に信号を出力することにより上記第１ラインデータを生成するとともに、主走査方向の他端部から中央部に向かって順次に信号を出力することにより上記第２ラインデータを生成し、上記第１画像処理手段が、信号出力順序と同じ順序で読み出した上記第１ラインデータに、信号出力順序とは逆順序で読み出した上記第２ラインデータの一部が付加されたデータに対して画像処理を行い、上記第２画像処理手段が、信号出力順序と同じ順序で読み出した上記第２ラインデータに、信号出力順序とは逆順序で読み出した上記第１ラインデータの一部が付加されたデータに対して画像処理を行うように構成される。
【００３４】
このような構成によれば、主走査方向の一端部から中央部に向かって順次に信号を出力することにより第１ラインデータが生成され、主走査方向の他端部から中央部に向かって順次に信号を出力することにより第２ラインデータが生成されるような構成であっても、第１ラインデータ及び第２ラインデータの境界部分の画像処理を良好に行うことができる。
【発明の効果】
【００３５】
本発明によれば、第１ラインデータ及び第２ラインデータに対してそれぞれ画像処理を行った後、それらのラインデータをデータ記憶手段に格納し、それを読み出して合成画像を得ることができるので、使用するラインバッファの数を減らして、製造コストを低減することができる。
【００３６】
また、第１ラインデータの各画素を注目画素として画像処理を行うときには、第１ラインデータに第２ラインデータの一部の画素を付加して画像処理を行い、第２ラインデータの各画素を注目画素として画像処理を行うときには、第２ラインデータに第１ラインデータの一部の画素を付加して画像処理を行うことにより、第１ラインデータ及び第２ラインデータの境界部分においても良好に画像処理を行うことができる。
【発明を実施するための最良の形態】
【００３７】
実施の形態１．
図１は、本発明の実施の形態１による画像処理装置１の一例を示したブロック図である。この画像処理装置１は、１つのモノクロラインセンサ２２を用いてモノクロラインデータを生成するモノクロ画像処理装置であり、原稿読取部２、フロントライン合成部３、リアライン合成部４、画像処理部５、画像処理部６、メモリ７及び印字装置８を備えている。
【００３８】
原稿読取部２には、原稿に向けて光を照射する光源２１と、原稿からの反射光を受光するモノクロラインセンサ２２とが備えられている。モノクロラインセンサ２２は、一直線状に並べられた複数の受光素子からなり、各受光素子における受光量を表す信号が原稿読取部２から出力される。原稿読取時には、モノクロラインセンサ２２の各受光素子から所定の順序に従って信号が出力されることにより主走査が実現されるとともに、複数の受光素子が並ぶ方向に対して直交方向に原稿が相対移動することにより副走査が実現される。
【００３９】
原稿に対する副走査は、静止した用紙に対して光源２１及びモノクロラインセンサ２２が移動することにより行われてもよいし、静止した光源２１及びモノクロラインセンサ２２に対して用紙が移動することにより行われてもよい。例えば、原稿読取部２が、透明板上に載置された原稿に対して、透明板を透過させて光源からの光を照射し、その反射光をモノクロラインセンサ２２で受光するようなフラットベッド読取部(FBS：Flat Bed Scanner)である場合には、透明板上に静止した用紙に対して光源２１及びモノクロラインセンサ２２を移動させることにより副走査を行うことができる。一方、原稿読取部２が、原稿を１枚ずつ分離して自動的に送り出す自動原稿供給部（ADF：Automatic Document Feeder）を備えているような場合には、静止した光源２１及びモノクロラインセンサ２２に対して自動原稿供給部から原稿を送り出すことにより副走査を行うことができる。
【００４０】
本実施の形態では、モノクロラインセンサ２２により原稿画像が１ラインごとに読み取られる際、１ライン分のモノクロラインデータが、モノクロラインセンサ２２の一端部の受光素子から中央部の受光素子に向かって順次に信号が出力されることにより得られる１／２ライン分のラインデータ（以下、「フロントラインデータ」と呼ぶ。）と、他端部の受光素子から中央部の受光素子に向かって順次に信号が出力されることにより得られる１／２ライン分のラインデータ（以下、「リアラインデータ」と呼ぶ。）とに分割して読み取られる。フロントラインデータは、原稿読取部２からの入力信号に基づいてフロントライン合成部３で生成され、リアラインデータは、原稿読取部２からの入力信号に基づいてリアライン合成部４で生成される。
【００４１】
ここで、モノクロラインセンサ２２は、当該モノクロラインセンサ２２内における配列順序が奇数番目の受光素子からなる第１受光素子群と、偶数番目の受光素子からなる第２受光素子群とにより構成されている。すなわち、第１受光素子群の受光素子と、第２受光素子群の受光素子とが、モノクロラインセンサ２２内において交互に並ぶように一直線状に配列されている。第１受光素子群の受光素子からの信号（ｏｄｄ）と、第２受光素子群の受光素子からの信号（ｅｖｅｎ）は、別々にフロントライン合成部３及びリアライン合成部４に入力される。
【００４２】
そして、フロントライン合成部３及びリアライン合成部４において、第１受光素子群及び第２受光素子群の各受光素子からの信号が合成されることにより、フロントラインデータ及びリアラインデータが生成される。すなわち、フロントライン合成部３及びリアライン合成部４は、それぞれ第１受光素子群及び第２受光素子群からのデータを合成してラインデータを生成するデータ合成手段を構成している。フロントラインデータ及びリアラインデータは、モノクロラインセンサ２２により読み取られる１ライン分のラインデータを２等分したデータであり、それぞれ互いに隣接する複数の画素からなる。
【００４３】
フロントラインデータ及びリアラインデータには、それぞれ異なる画像処理部５，６により画像処理が施される。画像処理部５は、フロントライン合成部３から入力される複数ライン分のフロントラインデータの各画素を注目画素として、その周辺画素のデータを用いて画像処理を行う。また、画像処理部６は、リアライン合成部４から入力される複数ライン分のリアラインデータの各画素を注目画素として、その周辺画素のデータを用いて画像処理を行う。画像処理部５，６が行う画像処理としては、注目画素及び周辺画素に対してマトリクス状のフィルタを用いて行うフィルタ処理や、注目画素及び周辺画素に基づいて文字部分等の像域を分離する像域分離処理などを採用できる。
【００４４】
画像処理部５，６により画像処理が施されたフロントラインデータ及びリアラインデータは、データ記憶手段としてのメモリ７に格納され、それを読み出して合成することにより、複数ライン分のモノクロラインデータからなる原稿のモノクロ画像データが生成される。原稿のモノクロ画像データは、印字装置８に入力され、その画像データに基づく画像が用紙上に記録される。印字装置８は、感光体ドラム、帯電器、現像装置、転写装置及び定着装置などからなる周知の構成であるため、ここでは詳細な説明を省略することとする。なお、モノクロラインデータは、２値化処理が施されることにより、２値データとしてメモリ７に格納されるようになっていてもよい。
【００４５】
図２は、原稿読取部２の構成例を示した概略図である。原稿読取部２には、それぞれモノクロラインセンサ２２の各受光素子２３からのデータが書き込まれる第１レジスタ２４、第２レジスタ２５、第３レジスタ２６及び第４レジスタ２７が備えられている。
【００４６】
第１レジスタ２４には、モノクロラインセンサ２２の一端部から中央部に配置されている受光素子２３（以下、「フロント側受光素子」と呼ぶ。）のうち、第１受光素子群に含まれる奇数番目の受光素子２３からのデータ（ｆｒｏｎｔ−ｏｄｄ）が書き込まれる。第２レジスタ２５には、モノクロラインセンサ２２のフロント側受光素子のうち、第２受光素子群に含まれる偶数番目の受光素子２３からのデータ（ｆｒｏｎｔ−ｅｖｅｎ）が書き込まれる。第１レジスタ２４及び第２レジスタ２５に書き込まれたデータは、モノクロラインセンサ２２の一端部側のデータから順に読み出され、フロントライン合成部３に入力される。
【００４７】
第３レジスタ２６には、モノクロラインセンサ２２の他端部から中央部に配置されている受光素子２３（以下、「リア側受光素子」と呼ぶ。）のうち、第１受光素子群に含まれる奇数番目の受光素子２３からのデータ（ｒｅａｒ−ｏｄｄ）が書き込まれる。第４レジスタ２７には、モノクロラインセンサ２２のリア側受光素子のうち、第２受光素子群に含まれる偶数番目の受光素子２３からのデータ（ｒｅａｒ−ｅｖｅｎ）が書き込まれる。第３レジスタ２６及び第４レジスタ２７に書き込まれたデータは、モノクロラインセンサ２２の他端部側のデータから順に読み出され、リアライン合成部４に入力される。
【００４８】
このように、本実施の形態の画像処理装置１では、１ライン分のモノクロラインデータを４つのチャンネルに分けて読み出すことができる。モノクロラインデータを第１受光素子群及び第２受光素子群からのデータに分割して入力させ、それらのデータを合成してフロントラインデータ及びリアラインデータを生成することにより、高速で原稿を読み取り、画像処理を行うことができる。
【００４９】
図３は、フロントライン合成部３及びリアライン合成部４の構成例について具体的に説明するためのブロック図である。フロントライン合成部３は、第１レジスタ２４から入力されるフロント側受光素子の第１受光素子群からのデータと、第２レジスタ２５から入力されるフロント側受光素子の第２受光素子群からのデータとを交互に合成することにより、フロントラインデータを生成する。一方、リアライン合成部４は、第３レジスタ２６から入力されるリア側受光素子の第１受光素子群からのデータと、第４レジスタ２７から入力されるリア側受光素子の第２受光素子群からのデータとを交互に合成することにより、リアラインデータを生成する。
【００５０】
フロントライン合成部３には、入力切替部３１、バッファ３２及びセレクタ３３が備えられている。同様に、リアライン合成部４にも、入力切替部４１、バッファ４２及びセレクタ４３が備えられている。フロントライン合成部３の入力切替部３１は、第１レジスタ２４及び第２レジスタ２５からのデータの読み出しを交互に切り替えることにより、受光素子２３の配列順序に対応するライン状に整列されたフロントラインデータを生成する。一方、リアライン合成部４の入力切替部４１は、第３レジスタ２６及び第４レジスタ２７からのデータの読み出しを交互に切り替えることにより、受光素子２３の配列順序に対応するライン状に配列されたリアラインデータを生成する。
【００５１】
フロントライン合成部３及びリアライン合成部４の各バッファ３２，４２には、１／２ライン分未満のデータを格納することができる。より具体的には、各バッファ３２，４２の容量は、画像処理部５，６で行われる画像処理時に各注目画素に対して用いられる周辺画素数に依存している。例えば、各注目画素を中心として、５行×５列の範囲内にある周辺画素を用いて画像処理を行うのであれば、各バッファの容量としては少なくとも２画素分あれば十分である。また、各注目画素を中心として、７行×７列の範囲内にある周辺画素を用いて画像処理を行うのであれば、各バッファの容量としては少なくとも３画素分あれば十分である。
【００５２】
本実施の形態では、フロントライン合成部３の入力切替部３１におけるデータ読み出しの切替によって生成されるフロントラインデータは、バッファ３２を介してフロントライン合成部３のセレクタ３３に入力されるだけでなく、リアライン合成部４のセレクタ４３にも入力される。このとき、フロントライン合成部３のセレクタ３３に入力されるフロントラインデータは、第１レジスタ２４及び第２レジスタ２５からのデータ読み出しの順序と同じ順序でバッファ３２から読み出され、セレクタ３３に入力される。一方、リアライン合成部４のセレクタ４３に入力されるフロントラインデータは、第１レジスタ２４及び第２レジスタ２５から順次に読み出されるデータのうち、バッファ３２に格納される最終部分のデータであり、画像処理時の周辺画素数に対応する数の最終部分のデータが、第１レジスタ２４及び第２レジスタ２５からのデータ読み出しの順序と逆順序でバッファ３２から読み出され、セレクタ４３に入力される。
【００５３】
同様に、リアライン合成部４のセレクタ４３に入力されるリアラインデータは、第３レジスタ２６及び第４レジスタ２７からのデータ読み出しの順序と同じ順序でバッファ４２から読み出され、セレクタ４３に入力される。一方、フロントライン合成部３のセレクタ３３に入力されるリアラインデータは、第３レジスタ２６及び第４レジスタ２７から順次に読み出されるデータのうち、バッファ４２に格納される最終部分のデータであり、画像処理時の周辺画素数に対応する数の最終部分のデータが、第３レジスタ２６及び第４レジスタ２７からのデータ読み出しの順序と逆順序でバッファ４２から読み出され、セレクタ３３に入力される。
【００５４】
このような構成により、フロントライン合成部３から出力されるフロントラインデータには、１ライン分のラインデータとしたときにフロントラインデータに隣接するリアラインデータの一部が付加される。したがって、画像処理部５は、フロントラインデータの各画素を注目画素として、フロントラインデータの各画素と、周辺画素数に対応する数のリアラインデータの一部の画素とに基づいて、画像処理を行うことができる。
【００５５】
また、リアライン合成部４から出力されるリアラインデータには、１ライン分のラインデータとしたときにリアラインデータに隣接するフロントラインデータの一部が付加される。したがって、画像処理部６は、リアラインデータの各画素を注目画素として、リアラインデータの各画素と、周辺画素数に対応する数のフロントラインデータの一部の画素とに基づいて、画像処理を行うことができる。
【００５６】
ここで、画像処理部５，６は、１種類の画像処理だけを行うような構成であってもよいし、２種類以上の画像処理を行うような構成であってもよい。１種類の画像処理だけを行う場合には、画像処理部５は、フロントラインデータの各画素のみを注目画素として画像処理を行い、画像処理部６は、リアラインデータの各画素のみを注目画素として画像処理を行う。
【００５７】
一方、２種類以上の画像処理を行う場合には、最終の画像処理以外の画像処理については、画像処理部５は、フロントラインデータに付加されたリアラインデータの各画素も注目画素として画像処理を行い、画像処理部６は、リアラインデータに付加されたフロントラインデータの各画素も注目画素として画像処理を行う。すなわち、画像処理部５は、最終の画像処理以外の画像処理については、フロントラインデータだけでなく、当該フロントラインデータに付加されたリアラインデータの各画素も注目画素として画像処理を行い、最終の画像処理については、フロントラインデータの各画素のみを注目画素として画像処理を行う。また、画像処理部６は、最終の画像処理以外の画像処理については、リアラインデータだけでなく、当該リアラインデータに付加されたフロントラインデータの各画素も注目画素として画像処理を行い、最終の画像処理については、リアラインデータの各画素のみを注目画素として画像処理を行う。
【００５８】
図４は、フロントライン合成部３及びリアライン合成部４におけるラインデータの生成及び出力の態様を示したタイミングチャートである。この図４において、「Ｆｎ（ｎは自然数）」は、ｎライン目のフロントラインデータ、「Ｒｎ（ｎは自然数）」は、ｎライン目のリアラインデータを示している。また、「ｆｎ（ｎは自然数）」は、ｎライン目のフロントラインデータの一部を第１レジスタ２４及び第２レジスタ２５からのデータ読み出しの順序と逆順序でバッファ３２から読み出したときのデータ、「ｒｎ（ｎは自然数）」は、ｎライン目のリアラインデータの一部を第３レジスタ２６及び第４レジスタ２７からのデータ読み出しの順序と逆順序でバッファ４２から読み出したときのデータを示している。
【００５９】
図４に示すように、モノクロラインセンサ２２の両端部の受光素子２３から中央部の受光素子２３に向かって順次に信号が出力されることにより、１ライン目のフロントラインデータＦ１及びリアラインデータＲ１が生成されると、フロントラインデータＦ１がバッファ３２及びセレクタ３３を介して画像処理部５へ出力されるとともに、リアラインデータＲ１がバッファ４２及びセレクタ４３を介して画像処理部６へ出力される。
【００６０】
このとき、バッファ４２に格納された最終部分のリアラインデータが、第３レジスタ２６及び第４レジスタ２７からのデータ読み出しの順序と逆順序でバッファ４２から読み出され、そのデータｒ１が、フロントラインデータＦ１の出力後に続けてセレクタ３３から画像処理部５へ出力される。また、バッファ３２に格納された最終部分のフロントラインデータが、第１レジスタ２４及び第２レジスタ２５からのデータ読み出しの順序と逆順序でバッファ３２から読み出され、そのデータｆ１が、リアラインデータＲ１の出力後に続けてセレクタ４３から画像処理部６へ出力される。
【００６１】
このようにして、１ライン目のラインデータが全て出力され、２ライン目のフロントラインデータＦ２及びリアラインデータＲ２が生成されると、フロントラインデータＦ２がバッファ３２及びセレクタ３３を介して画像処理部５へ出力されるとともに、リアラインデータＲ２がバッファ４２及びセレクタ４３を介して画像処理部６へ出力される。２ライン目以降のラインデータの生成及び出力の態様は、１ライン目の態様と同様であるので、ここではその説明を省略する。
【００６２】
画像処理部５，６により画像処理が施され、メモリ７に格納されたフロントラインデータ及びリアラインデータは、フロントラインデータＦｎに付加されたリアラインデータｒｎ及びリアラインデータＲｎに付加されたフロントラインデータｆｎが、それぞれ取り除かれた状態で合成されることにより、複数ライン分のモノクロラインデータからなる原稿のモノクロ画像データが生成される。このとき、フロントラインデータＦｎ及びリアラインデータＲｎが、それぞれに付加されたリアラインデータｒｎ及びフロントラインデータｆｎが取り除かれた状態でメモリ７に格納され、それらのフロントラインデータＦｎ及びリアラインデータＲｎがメモリ７から読み出されて合成されるような構成であってもよいし、リアラインデータｒｎ及びフロントラインデータｆｎが付加された状態でメモリ７に格納され、メモリ７からの読出時にそれらのリアラインデータｒｎ及びフロントラインデータｆｎが取り除かれて合成されるような構成であってもよい。
【００６３】
本実施の形態では、フロントラインデータ及びリアラインデータを合成した後に画像処理を行うのではなく、フロントラインデータ及びリアラインデータに対してそれぞれ画像処理を行った後、それらのラインデータをメモリ７に格納し、それを読み出して合成画像を得ることができる。したがって、図７のように、読み取ったフロントラインデータ及びリアラインデータを格納するラインバッファと、その前のラインのフロントラインデータ及びリアラインデータを画像処理のために格納しておくラインバッファとを設ける必要がないので、製造コストを低減することができる。
【００６４】
また、フロントラインデータ及びリアラインデータに対して、それぞれ異なる画像処理部５，６を用いて画像処理を行うので、それらを合成した１ライン分のモノクロラインデータに対して同時間で画像処理を行うような画像処理部を採用する場合と比べて、処理速度がほぼ半分の安価な画像処理部を採用することができる。したがって、製造コストをより効果的に低減することができる。
【００６５】
また、フロントラインデータの各画素を注目画素として画像処理を行うときには、フロントラインデータにリアラインデータの一部の画素を付加して画像処理を行うことができ、リアラインデータの各画素を注目画素として画像処理を行うときには、リアラインデータにフロントラインデータの一部の画素を付加して画像処理を行うことができる。したがって、フロントラインデータ及びリアラインデータを合成した後に画像処理を行う場合と同様に、フロントラインデータ及びリアラインデータの境界部分においても良好に画像処理を行うことができる。
【００６６】
さらに、本実施の形態では、モノクロラインセンサ２２で読み取られるモノクロラインデータをフロントラインデータ及びリアラインデータに分割して読み取り、それらのフロントラインデータ及びリアラインデータに対して異なる画像処理部５，６を用いて画像処理を行うことができる。一般的に、モノクロラインデータの読み取りは、カラーラインデータの読み取りに比べて速度が要求されるが、モノクロラインデータをフロントラインデータ及びリアラインデータに分割して異なる画像処理部５，６で画像処理を行うことにより、処理速度の遅い安価な画像処理部を用いて高速で画像処理を行うことができる。この例では、画像処理部５，６の画像処理速度は６０画素／μｓであり、図８の従来例における画像処理部の画像処理速度（１２０画素／μｓ）の半分程度の速度で画像処理を行う安価な画像処理部を採用することができる。
【００６７】
実施の形態２．
実施の形態１では、１つのモノクロラインセンサ２２を用いてモノクロラインデータを生成するモノクロ画像処理装置について説明した。これに対して、実施の形態２の画像処理装置１００は、モノクロラインセンサ１２２を用いてモノクロラインデータを生成することができるだけでなく、Ｒ(レッド)、Ｇ(グリーン)、Ｂ(ブルー)の各色に対応付けられた３つのカラーラインセンサ１２３，１２４，１２５を用いてカラーラインデータを生成することができる。
【００６８】
図５は、本発明の実施の形態２による画像処理装置１００の一例を示したブロック図である。この画像処理装置１００は、実施の形態１の画像処理装置１と同様の構成からなるフロントライン合成部１０３、リアライン合成部１０４、画像処理部１１０、画像処理部１１１、メモリ１１３及び印字装置１１４の他に、レッドライン合成部１０５、グリーンライン合成部１０６、ブルーライン合成部１０７、セレクタ１０８、セレクタ１０９及び３つ目の画像処理部１１２を備えている。また、原稿読取部１０２には、実施の形態１の画像処理装置１と同様の構成からなる光源１２１及びモノクロラインセンサ１２２の他に、レッドラインセンサ１２３、グリーンラインセンサ１２４及びブルーラインセンサ１２５が備えられている。
【００６９】
レッドラインセンサ１２３、グリーンラインセンサ１２４及びブルーラインセンサ１２５は、モノクロラインセンサ１２２と同様に一直線状に並べられた複数の受光素子からなり、原稿からの反射光を受光することにより、原稿画像を１ラインごとにＲＧＢ３原色の各色のカラーラインデータとして読み取る。これらのカラーラインセンサ１２３，１２４，１２５における原稿読取時の走査の態様は、モノクロラインセンサ１２２の場合と同様である。
【００７０】
レッドラインセンサ１２３は、モノクロラインセンサ１２２と同様に、当該レッドラインセンサ１２３内における配列順序が奇数番目の受光素子からなる第１受光素子群と、偶数番目の受光素子からなる第２受光素子群とにより構成されている。第１受光素子群の受光素子からの信号（ｒｅｄ−ｏｄｄ）と、第２受光素子群の受光素子からの信号（ｒｅｄ−ｅｖｅｎ）は、別々にレッドライン合成部１０５に入力され、レッドライン合成部１０５において、第１受光素子群及び第２受光素子群の各受光素子からの信号が合成されることにより、１ライン分のレッドラインデータが生成される。
【００７１】
同様に、グリーンライン合成部１０６は、グリーンラインセンサ１２４の第１受光素子群の受光素子からの信号（ｇｒｅｅｎ−ｏｄｄ）と、第２受光素子群の受光素子からの信号（ｇｒｅｅｎ−ｅｖｅｎ）を合成することにより、１ライン分のグリーンラインデータを生成する。また、ブルーライン合成部１０７は、ブルーラインセンサ１２５の第１受光素子群の受光素子からの信号（ｂｌｕｅ−ｏｄｄ）と、第２受光素子群の受光素子からの信号（ｂｌｕｅ−ｅｖｅｎ）を合成することにより、１ライン分のブルーラインデータを生成する。
【００７２】
レッドライン合成部１０５は、セレクタ１０８を介して画像処理部１１０に接続されている。したがって、セレクタ１０８の切り替えによって、フロントライン合成部１０３からの１／２ライン分のフロントラインデータ又はレッドライン合成部１０５からの１ライン分のレッドラインデータの一方を選択し、画像処理部１１０に入力することができる。この画像処理部１１０は、フロントライン合成部１０３から入力されるフロントラインデータに対して、実施の形態１と同様に画像処理を施すことができるだけでなく、レッドライン合成部１０５から入力されるレッドラインデータに対しても、複数ライン分のレッドラインデータの各画素を注目画素として、その周辺画素のデータを用いて画像処理を行うことができる。
【００７３】
グリーンライン合成部１０６は、セレクタ１０９を介して画像処理部１１１に接続されている。したがって、セレクタ１０９の切り替えによって、リアライン合成部１０４からの１／２ライン分のリアラインデータ又はグリーンライン合成部１０６からの１ライン分のグリーンラインデータの一方を選択し、画像処理部１１１に入力することができる。この画像処理部１１１は、リアライン合成部１０４から入力されるリアラインデータに対して、実施の形態１と同様に画像処理を施すことができるだけでなく、グリーンライン合成部１０６から入力されるグリーンラインデータに対しても、複数ライン分のグリーンラインデータの各画素を注目画素として、その周辺画素のデータを用いて画像処理を行うことができる。
【００７４】
一方、ブルーライン合成部１０７は、セレクタを介さずに画像処理部１１２に接続されている。画像処理部１１２は、ブルーライン合成部１０７から入力されるブルーラインデータに対して、複数ライン分のブルーラインデータの各画素を注目画素として、その周辺画素のデータを用いて画像処理を行うことができる。画像処理部１１０，１１１，１１２により画像処理が施されたレッドラインデータ、グリーンラインデータ及びブルーラインデータがメモリ１１３に格納されることにより、複数ライン分のカラーラインデータからなる原稿のカラー画像データが生成され、そのカラー画像データに基づく画像が印字装置１１４により用紙上に記録される。
【００７５】
図６は、原稿読取部１０２の構成例を示した概略図である。図６（ａ）に示すように、原稿読取部１０２には、それぞれ複数の受光素子が一直線状に並べられることにより形成されたモノクロラインセンサ１２２、レッドラインセンサ１２３、グリーンラインセンサ１２４及びブルーラインセンサ１２５が、互いに平行になるように配置されている。原稿読取時には、各ラインセンサ１２２〜１２５に備えられている複数の受光素子から所定の順序に従って信号が出力されることにより主走査が実現されるとともに、複数の受光素子が並ぶ方向に対して直交方向Ａに原稿が相対移動することにより副走査が実現される。
【００７６】
図６（ｂ）には、モノクロラインセンサ１２２の具体的構成が示されている。モノクロラインセンサ１２２の各受光素子１２６からのデータは、実施の形態１のモノクロラインセンサ２２と同様に、第１レジスタ１２７、第２レジスタ１２８、第３レジスタ１２９及び第４レジスタ１３０に書き込まれる。このモノクロラインセンサ１２２の各受光素子から各レジスタ１２７〜１３０にデータが書き込まれる態様、及び、各レジスタ１２７〜１３０からデータが読み出される態様は、実施の形態１のモノクロラインセンサ２２と同様であるので、ここでは詳細な説明を省略することとする。
【００７７】
第１レジスタ１２７及び第２レジスタ１２８に書き込まれたデータは、フロントライン合成部１０３に入力され、それらのデータがフロントライン合成部１０３において合成されることにより、フロントラインデータが生成される。第３レジスタ１２９及び第４レジスタ１３０に書き込まれたデータは、リアライン合成部１０４に入力され、それらのデータがリアライン合成部１０４において合成されることにより、リアラインデータが生成される。
【００７８】
図６（ｃ）には、レッドラインセンサ１２３、グリーンラインセンサ１２４及びブルーラインセンサ１２５の具体的構成が示されている。これらのカラーラインセンサ１２３〜１２５は、同様の構成を有しており、それぞれ配列順序が奇数番目の受光素子１３１からなる第１受光素子群と、偶数番目の受光素子１３１からなる第２受光素子群とにより構成されている。各カラーラインセンサ１２３〜１２５の受光素子１３１からのデータは、第１レジスタ１３２及び第２レジスタ１３３からなる２つのレジスタに書き込まれる。すなわち、モノクロラインセンサ１２２では、１ライン分のモノクロラインデータが４つのチャンネルに分けて読み出されるのに対して、カラーラインセンサ１２３〜１２５では、１ライン分のカラーラインデータが２つのチャンネルに分けて読み出されるようになっている。
【００７９】
第１レジスタ１３２には、カラーラインセンサ１２３〜１２５に備えられている受光素子１３１のうち、第１受光素子群に含まれる奇数番目の受光素子１３１からのデータが書き込まれる。第２レジスタ１３３には、カラーラインセンサ１２３〜１２５に備えられている受光素子１３１のうち、第２受光素子群に含まれる偶数番目の受光素子１３１からのデータが書き込まれる。第１レジスタ１３２及び第２レジスタ１３３に書き込まれたデータは、カラーラインセンサ１２３〜１２５の一端部側のデータから順に読み出される。
【００８０】
レッドラインセンサ１２３の第１レジスタ１３２及び第２レジスタ１３３から読み出されたデータは、レッドライン合成部１０５に入力され、それらのデータがレッドライン合成部１０５において合成されることにより、レッドラインデータが生成される。グリーンラインセンサ１２４の第１レジスタ１３２及び第２レジスタ１３３から読み出されたデータは、グリーンライン合成部１０６に入力され、それらのデータがグリーンライン合成部１０６において合成されることにより、グリーンラインデータが生成される。ブルーラインセンサ１２５の第１レジスタ１３２及び第２レジスタ１３３から読み出されたデータは、ブルーライン合成部１０７に入力され、それらのデータがブルーライン合成部１０７において合成されることにより、ブルーラインデータが生成される。
【００８１】
本実施の形態では、３つのカラーラインセンサ１２３〜１２５を用いてカラーラインデータを読み取る際に、モノクロラインデータの読取時に使用される画像処理部１１０及び画像処理部１１１を用いるとともに、さらに画像処理部１１２を用いて、それらのカラーラインデータに対する画像処理を行うことができる。このように、モノクロラインデータの読取時とカラーラインデータの読取時とで画像処理部を兼用することにより、さらに製造コストを低減することができる。
【００８２】
ここで、モノクロラインデータは、それぞれ１／２ライン分のフロントラインデータ及びリアラインデータに分割されて画像処理が行われるので、１ライン分のまま画像処理が行われるカラーラインデータと比べて、画像処理部を兼用して同じ処理速度で画像処理を行った場合に、半分の時間で画像処理を行うことができる。したがって、カラーラインデータに比べて速度が要求されるモノクロラインデータの読み取りにおいて、高速で画像処理を行うことができる。
【００８３】
以上の実施の形態では、モノクロラインセンサ２２，１２２により原稿画像が１ラインごとに読み取られる際、１ライン分のラインデータが、モノクロラインセンサ２２，１２２の一端部の受光素子から中央部の受光素子に向かって順次に信号が出力されることにより得られるフロントラインデータと、他端部の受光素子から中央部の受光素子に向かって順次に信号が出力されることにより得られるリアラインデータとに分割して読み取られるような構成について説明した。しかし、このような構成に限らず、例えば、モノクロラインセンサ２２，１２２の一端部の受光素子から中央部の受光素子に向かって順次に信号が出力されることにより得られるデータと、中央部の受光素子から他端部の受光素子に向かって順次に信号が出力されることにより得られるデータとに分割して読み取られるような構成であってもよい。
【００８４】
また、以上の実施の形態では、画像処理装置１，１００に印字装置８，１１４が備えられた構成について説明したが、このような構成に限らず、画像処理装置から出力された画像データに基づいて、画像処理装置とは別個に設けた印字装置で用紙に画像が記録されるような構成であってもよい。
【図面の簡単な説明】
【００８５】
【図１】本発明の実施の形態１による画像処理装置の一例を示したブロック図である。
【図２】原稿読取部の構成例を示した概略図である。
【図３】フロントライン合成部及びリアライン合成部の構成例について具体的に説明するためのブロック図である。
【図４】フロントライン合成部及びリアライン合成部におけるラインデータの生成及び出力の態様を示したタイミングチャートである。
【図５】本発明の実施の形態２による画像処理装置の一例を示したブロック図である。
【図６】原稿読取部の構成例を示した概略図である。
【図７】従来の画像処理装置の一構成例を示したブロック図である。
【図８】図７の画像処理装置のフロントライン合成部及びリアライン合成部におけるラインデータの生成及びモノクロライン合成部からのラインデータの出力の態様を示したタイミングチャートである。
【符号の説明】
【００８６】
１  画像処理装置
２  原稿読取部
３  フロントライン合成部
４  リアライン合成部
５，６  画像処理部
７  メモリ
２２  モノクロラインセンサ
２３  受光素子
３１，４１  入力切替部
３２，４２  バッファ
３３，４３  セレクタ
１００  画像処理装置
１０２  原稿読取部
１０３  フロントライン合成部
１０４  リアライン合成部
１０５  レッドライン合成部
１０６  グリーンライン合成部
１０７  ブルーライン合成部
１０８，１０９  セレクタ
１１０，１１１，１１２  画像処理部
１１３  メモリ
１２２  モノクロラインセンサ
１２３  レッドラインセンサ
１２４  グリーンラインセンサ
１２５  ブルーラインセンサ
１２６，１３１  受光素子
【図１】
2008103912.tif 000003
【図２】
2008103912.tif 000004
【図３】
2008103912.tif 000005
【図４】
2008103912.tif 000006
【図５】
2008103912.tif 000007
【図６】
2008103912.tif 000008
【図７】
2008103912.tif 000009
【図８】
2008103912.tif 000010